(57)【要約】【課題】内容物を保護する空間を開封時まで維持可能な包装用緩衝材並びに包装器材を提供する。【解決手段】この包装用の緩衝材７は、ダンボール箱１２の箱内に梱包されるダクトジョイント１、２の包装用緩衝材であり、緩衝材７の平面部８の中間部に、上方に突出するように折り曲げられて平面部８と上蓋フラップ１３Ｌとの間の空間を保持する突出部１１が形成されている。【選択図】  図１
2006321525.tif 000002
【特許請求の範囲】
【請求項１】
箱内に梱包される機器の包装用緩衝材であり、緩衝材の平面部の中間部に、上方に突出するように折り曲げられて前記平面部と前記箱の上蓋との間の空間を保持する突出部が形成されていることを特徴とする包装用緩衝材。
【請求項２】
前記平面部を有する展開形状部は、前記平面部の外周に前記箱の内壁に沿うように折り曲げられる縦壁部を有することを特徴とする請求項１記載の包装用緩衝材。
【請求項３】
前記縦壁部の角部は、前記展開形状部の外周において互いに直交する縦壁部の端縁部同士を重ね合わせた二重壁であることを特徴とする請求項２記載の包装用緩衝材。
【請求項４】
前記二重壁は、前記互いに直交する縦壁部の一方に形成した掛止凸部と、前記互いに直交する縦壁部の他方に形成した掛止穴部とを互いに掛止して構成されていることを特徴とする請求項３記載の包装用緩衝材。
【請求項５】
前記平面部の周辺であって前記突出部を形成する切り込み線部の外側に、前記突出部を折るときに、前記突出部の反対側であって前記機器側に折り曲げて、前記平面部を支える支持板部を形成したことを特徴とする請求項２乃至請求項４の何れか記載の包装用緩衝材。
【請求項６】
前記平面部に機器を挿入して支持する保持穴部が形成されていることを特徴とする請求項１乃至請求項５の何れか記載の包装用緩衝材。
【請求項７】
請求項１乃至請求項６の何れかの包装用緩衝材を備えていることを特徴とする包装器材。
【発明の詳細な説明】
【技術分野】
【０００１】
本発明は包装用緩衝材及び包装器材に関する。
【背景技術】
【０００２】
通常、包装箱には梱包する機器を緩衝材で保護しているが、機器の中には換気装置などのように、換気装置本体の他に、ダクトジョイントなどの機器を備え、施工現場において組み立てるものが多数存在する。このような場合、周囲に縦壁部を有する緩衝材を機器の上に何段か載せ、機器を同じ包装箱内に収納している。
【０００３】
また、後述の特許文献１では、掃除機本体とホースと吸込具と連結パイプを外装箱に収納して梱包する電気掃除機の梱包装置が開示されている。この梱包装置では、外装箱内部に第１の緩衝材と、第２の緩衝材とが対向して収納され、第１の緩衝材と第２の緩衝材の間には、掃除機本体と、掃除機本体の手元操作部収納部を備えたホースと差込部収納部が収納される。第１、第２の緩衝材内に収納された掃除機本体等の上にパイプ保持部材が収納され、パイプ保持部材の上にパイプが収納されるようになっている。
【特許文献１】特開２００３−３２７２９２号公報
【発明の開示】
【発明が解決しようとする課題】
【０００４】
しかし、緩衝材が何層か重なると、上の緩衝材の縦壁部が下の緩衝材の周囲の縦壁部と箱の内壁の間に入り込んで上部の空間を確保できなくなることがある。このように、箱の内部において機器の上部の空間の高さを確保できないと、機器本体や付属品が上下方向に移動可能となったり、運送時に機器本体や付属品が損傷するおそれがあった。
【０００５】
特許文献１の梱包装置においても、第１の緩衝材と第２の緩衝材の間に収納された掃除機本体とホースと差込部収納部上に、パイプ保持部材を搭載し、そのパイプ保持部材の上にパイプを載せて外箱を梱包するので、パイプ保持部材と外箱の上蓋との間の高さが確保されないと、パイプを収納できなかったり、逆に高さがありすぎて隙間が大きくなると、パイプが移動してパイプや掃除機本体等が傷つくおそれがあった。
【０００６】
本発明は、このような問題に着目してなされたものであり、内容物である機器及び付属品等を箱の上下に仕切って収納する場合でも、内容物を保護する空間を開封時まで維持可能な包装用緩衝材並びに包装器材を提供することを目的とする。
【課題を解決するための手段】
【０００７】
上記課題を解決するために、本発明の請求項１の包装用緩衝材は、箱内に梱包される機器の包装用緩衝材であり、緩衝材の平面部の中間部に、上方に突出するように折り曲げられて前記平面部と前記箱の上蓋との間の空間を保持する突出部が形成されていることを特徴とする。
【０００８】
本願の請求項２の包装用緩衝材は、請求項１記載の包装用緩衝材において、前記平面部を有する展開形状部は、前記平面部の外周に前記箱の内壁に沿うように折り曲げられる縦壁部を有することを特徴とする。
【０００９】
本願の請求項３の包装用緩衝材は、請求項２記載の包装用緩衝材において、前記縦壁部の角部は、前記展開形状部の外周において互いに直交する折曲辺部の端縁部同士を重ね合わせた二重壁であることを特徴とする。
【００１０】
本願の請求項４の包装用緩衝材は、請求項３記載の包装用緩衝材において、前記二重壁は、前記互いに直交する縦壁部の一方に形成した掛止凸部と、前記互いに直交する縦壁部の他方に形成した掛止穴部とを互いに掛止して構成されていることを特徴とする。
【００１１】
本願の請求項５の包装用緩衝材は、請求項２乃至４記載の包装用緩衝材において、前記平面部の周辺であって前記突出部を形成する切り込み線部の外側に、前記突出部を折るときに、前記突出部の反対側であって前記機器側に折り曲げて、前記平面部を支える支持板部を形成したことを特徴とする。
【００１２】
本願の請求項６の包装用緩衝材は、請求項１乃至請求項５の何れか記載の包装用緩衝材において、前記平面部に機器を挿入して支持する保持穴部が形成されていることを特徴とする。
【００１３】
本願の請求項７の包装器材は、請求項１乃至請求項６の何れかの包装用緩衝材を備えていることを特徴とする。
【発明の効果】
【００１４】
本願の請求項１の包装用緩衝材及び請求項７の包装器材によれば、緩衝材の平面部を機器の上に敷設したときに、突出部が平面部の中間部から上方に突出するので、包装箱の開封時まで平面部と箱の上蓋との間に保護空間を確保できると共に、機器から突出する重要な部分などを保護するための専用保護部材を設けなくても良い。また、開封時には突出部を取っ手代わりにして把持できるため、開封時にも機器を取り出しやすい。梱包される機器には機器本体の他に付属品等も含まれるものである。
【００１５】
本願の請求項２の包装用緩衝材及び請求項７の包装器材によれば、平面部の外周に箱の内壁に沿うように折り曲げられる縦壁部を有するので、平面部の下面側にも保護空間を形成することができる。
【００１６】
本願の請求項３の包装用緩衝材及び請求項７の包装器材によれば、縦壁部の角部が、展開形状部の外周において互いに直交する縦壁部同士を重ね合わせた二重壁であるので、緩衝材を複数重ねて箱内の空間を仕切った場合でも、上の緩衝材が下の緩衝材と箱の内面との間に進入することが防止され、確実に保護空間を維持することができる。
【００１７】
本願の請求項４の包装用緩衝材及び請求項７の包装器材によれば、二重壁は、互いに直交する折曲片部の一方に形成した掛止凸部と、前記折曲片部の他方に形成した掛止穴部とにより構成されているので、緩衝材の成形時にプレス機により簡単に成形できると共に、緩衝材を組み上げるときに、掛止凸部と掛止穴部を噛み合わせることで容易に縦壁部を形成できる。
【００１８】
本願の請求項５の包装用緩衝材及び請求項７の包装器材によれば、平面部の周辺であって前記突出部を形成する切り込み線部の外側に、突出部を折るときに、突出部の反対側であって機器側に折り曲げて、平面部を支える支持板部を形成したので、緩衝材の上の保護空間の他に、緩衝材の下の保護空間をも維持でき、機器の損傷を防止できる。
【００１９】
本願の請求項６の包装用緩衝材及び請求項７の包装器材によれば、平面部に機器を挿入して支持する保持穴部が形成されているので、機器等を左右に動かないように固定しておくことができる。
【発明を実施するための最良の形態】
【００２０】
以下、本発明を実施するための最良の形態にかかる緩衝材及び包装器材について説明する。図１は実施の形態にかかる緩衝材を包装器材に収納する前の分解状態を示す。符号１、２は包装される機器としてのダクトジョイントである。このダクトジョイント１、２は外気を取り入れて室内に供給する換気装置や空気清浄機等の空調機３の給気口４や排気口（図示省略）に装着される。
【００２１】
ダクトジョイント１、２には空調機３の給気口や排気口の外側縁部に密着するための爪部５、６がそれぞれ一対形成されている。ダクトジョイント１、２の筒状接続部１Ａ、２Ａは、ダンボール紙からなる緩衝材７の平面部８に形成された保持穴９Ａ、１０Ａに挿入され、ダクトジョイント１、２の起立片部１Ｂ、２Ｂ（図１参照）は平面部８の保持穴９Ｂ、１０Ｂ（図２参照）に挿入される。これによって、ダクトジョイント１、２は平面部８の平面方向の移動が規制される。
【００２２】
緩衝材７の中央部には突出部１１が形成されている。突出部１１は平面部８の中央部を平面部８の上方に山折りに折り曲げたものであり、包装器材であるダンボール箱１２の一対の長片側の上蓋フラップ１３Ｌを支持して、平面部８と上蓋フラップ１３Ｌの間隔を維持し、ダクトジョイント１、２の爪部５、６が折れ曲がらないように、爪部５、６を保護する。緩衝材７の平面部８の四方の周縁部には、縦壁部１４、１５がそれぞれ形成されている。
【００２３】
緩衝材７の下方には、空調機３の上面部を保護するダンボール紙からなる中間緩衝材１８が収納される。中間緩衝材１８は底の浅い箱状のものであり、周囲に枠状の縦枠部１９が形成されている。中間緩衝材１８の中央部には中間緩衝材１８を取り出すための穴１８Ａが開口している。縦枠部１９は、空調機３の水平支持板部２０の外側と、ダンボール箱１２の内壁１２Ａとの間に挿入されて、空調機３の水平支持板部２０を保護する。なお、空調機３は、空調機３の本体部２１が天井の開口部の上方に挿入され、水平支持板部２０が図示しない天井の開口部の下縁部に取り付けられる。
【００２４】
ダンボール箱１２の底部の角部にはダンボール紙からなる一対の下部緩衝材２２が挿入される。一対の下部緩衝材２２には空調機３の本体部２１をダンボール箱１２の底部から浮かせて保持するための凹部２２Ａがそれぞれ形成されている。
【００２５】
図２は緩衝材７の展開図を示している。緩衝材７を形成するためのダンボール紙の展開形状部材２３は矩形状に形成されており、平面部８の周囲に前述の縦壁部１４、１５が形成されている。図２の平面部８の上下の縦壁部１５の中央部には切断線２４Ａ、２４Ｂが設けられ、切断線２４Ａの両側に支持板部１５Ａが形成されている。
【００２６】
縦壁部１４、１５において、縦壁部１４の長手方向両端部には折曲部１４Ａが形成されており、この折曲部１４Ａに掛止穴部１６が形成されている。縦壁部１４に直交する縦壁部１５には掛止凸部１７が形成されている。掛止凸部１７と掛止穴部１６とは、縦壁部１４、１５が浅い矩形枠状に形成される形態を維持するように、互いに組み合わされる。掛止凸部１７の自由端部側は先端部が根元より拡大する台形状に形成され、掛止穴部１６は中央部が狭められた溝形状となるように形成されており、このくびれた縁部に前記掛止凸部１７の台形状の先端部が掛止できるようになっている。
【００２７】
縦壁部１５の上下には、図３に示すように平面部８の下側に折り曲げられる支持板部１５Ａがそれぞれ形成されている。近接する一対の支持板部１５Ａ同士は、緩衝材７が箱状に組み立てられたときに互いに当接しあって二重壁を構成し、突出部１１の下部を支持する。２枚に重ねられた支持板部１５Ａは、ダクトジョイント１、２を保持する平面部８が下方に撓んで変形することを防止している。なお、突出部１１もまた、平面部８の上方に突出することによって、平面部８がダクトジョイント１、２の重量によって重力方向に撓んで変形することを防止し、突出部１１が平面部８の剛性を高めていることは言うまでもない。
【００２８】
平面部８には前述の保持穴９Ａ、１０Ａ、９Ｂ、１０Ｂ（図２参照）がそれぞれ形成されている。突出部１１は、平面部８の中央部をダンボール箱１２上方に折り曲げて、形成される。突出部１１を平面部８の上方に折り曲げる際、二重となるように折り曲げられ、上下方向に加わる荷重に対しての剛性が高められている。図２の折線Ｇは山折り線、折線Ｈは谷折り線である。
【００２９】
図４、図５は上記の緩衝材７、２２並びに中間緩衝材１８を用いて空調機３及びダクトジョイント１、２を収納梱包する状態を示す。ダンボール箱１２の内部に収納する順序は図１の下から上に図示される順となる。収納の最後には、ダクトジョイント１、２を収納した緩衝材７の上に短辺部の一対の上蓋フラップ１３Ｓを折り曲げ、次に長辺部の一対の上蓋フラップ１３Ｌを折り曲げ、一対の上蓋フラップ１３Ｌの上に粘着テープを接着して梱包する。
【００３０】
このときに、緩衝材７の突出部１１が長辺部の上蓋フラップ１３Ｌの内面に当たって緩衝材７の平面部８と上蓋フラップ１３Ｌの間の空間を確保し、ダクトジョイント１、２の爪部５、６を保護する。これにより、爪部５、６を保護する専用の保護部材を設けなくて済むこととなる。なお、突出部１１は箱形に組み上げた緩衝材７を持ち上げるときに掴むことができる。
【００３１】
以上説明したように、この緩衝材７は、ダンボール箱１２の箱内に梱包されるダクトジョイント１、２（機器）の包装用緩衝材であり、緩衝材７の平面部８の中間部に、上方に突出するように折り曲げられて平面部８と上蓋フラップ１３Ｌとの間の空間を保持する突出部１１が形成されているので、平面部８にダクトジョイント１、２を搭載したときに、突出部１１が平面部８の中間部から上方に突出するので、ダンボール箱１２の開封時まで平面部８と箱の上蓋フラップ１３Ｌとの間に保護空間を確保できると共に、開封時には突出部１１を取っ手代わりにして把持できるため、開封時にもダクトジョイント１、２を取り出しやすい。梱包される機器はダクトジョイント１、２に限るものではなく、空調機３やその他の付属品等も含まれるものである。
【００３２】
また、平面部８の外周にダンボール箱１２の内壁に沿うように折り曲げられる縦壁部１４、１５を有するので、平面部８の下面側にも保護空間を形成できる。
【００３３】
更に、縦壁部１４、１５の角部は、展開形状部材２３の外周において縦壁部１５と折曲部１４Ａとを重ね合わせて二重壁としているので、緩衝材７と中間緩衝材１８（他の緩衝材）を重ねて箱内の空間を仕切った場合でも、上の緩衝材７が下の緩衝材である中間緩衝材１８と箱の内面との間に進入することが防止され、保護空間を確実に維持できる。
【００３４】
また、縦壁部１５と折曲部１４Ａとを重ね合わせてなる二重壁部は、掛止凸部１７と、掛止穴部１６とにより構成されているので、緩衝材７の成形時にプレス機等により簡単に成形できると共に、緩衝材７を組み上げるときに、掛止凸部１７と掛止穴部１６を噛み合わせることで容易に縦壁部を形成できる。
【００３５】
平面部８の周辺であって突出部１１を形成する切り込み線部２４Ａの外側に、突出部１１を折るときに、突出部１１の反対側であってダクトジョイント１、２側に折り曲げて、平面部８を支える支持板部１５Ａを形成したので、緩衝材７の上の保護空間の他に、緩衝材７の下の保護空間をも維持でき、ダクトジョイント１、２等の機器の損傷を防止できる。
【００３６】
平面部８に保持穴部９Ａ、１０Ａが形成されているので、ダクトジョイント１、２等の機器等を左右に動かないように固定しておくことができる。
【図面の簡単な説明】
【００３７】
【図１】本発明の最良の形態にかかる緩衝材及び包装器材の分解斜視図。
【図２】図１の緩衝材の展開図。
【図３】図２の展開図にかかる緩衝材を組み上げた状態を示す斜視図。
【図４】図１のダンボール箱に換気装置とダクトジョイントを緩衝材を介して収納する状態の斜視図。
【図５】図１のダンボール箱に換気装置とダクトジョイントを緩衝材を介して収納し、蓋フラップで梱包完了する直前の斜視図。
【符号の説明】
【００３８】
１、２  ダクトジョイント（収納する機器）
３      空調機
５、６  爪部
７    緩衝材
８    平面部
９Ａ、１０Ａ  保持穴
１１    突出部
１２    ダンボール箱（包装器材）
１４、１５  縦壁部
１４Ａ  折曲部
１６    掛止穴部
１７    掛止凸部
【図１】
2006321525.tif 000003
【図２】
2006321525.tif 000004
【図３】
2006321525.tif 000005
【図４】
2006321525.tif 000006
【図５】
2006321525.tif 000007